(57)【特許請求の範囲】
【請求項１】
目地部を介した左右の床躯体の反目地部側にカバープレート支持凹部を有する傾斜面に形成された左右の凹部と、この左右の凹部を覆う前記左右の床躯体の床面と上面がほぼ同一面の浅皿状の金属材製の目地プレート本体、この目地プレート本体内に充填されたモルタルやコンクリートを介して固定されたタイルやレンガ等の床化粧材とからなる目地プレートと、この目地プレートの両端部に取付けられた上部寄りの部位より下部外方へ円弧状に突出する支持部を有する支持部材と、前記目地プレートの両端部の下部寄りの部位に前記支持部材挿入凹部が形成された支持脚となる後端部が枢支され、円弧状の先端部が前記カバープレート支持凹部に支持され、前記左右の床躯体の床面および前記目地プレートの上面とほぼ同一面となるカバープレートとからなることを特徴とする床用目地装置。
【請求項２】
目地部を介した左右の床躯体の、一方の床躯体の反目地部側にカバープレート支持凹部を有する傾斜面に形成された凹部と、この凹部に先端部が支持され、他端部が前記左右の床躯体の他方の床躯体に取付けられた、該左右の床躯体の床面と上面がほぼ同一面の浅皿状の金属材製の目地プレート本体、この目地プレート本体内に充填されたモルタルやコンクリートを介して固定されたタイルやレンガ等の床化粧材とからなる目地プレートと、この目地プレートの先端部に取付けられた上部寄りの部位より下部外方へ円弧状に突出する支持部を有する支持部材と、前記目地プレートの先端部の下部寄りの部位に前記支持部材挿入凹部が形成された支持脚となる後端部が枢支され、円弧状の先端部が前記カバープレート支持凹部に支持され、前記左右の床躯体の床面および前記目地プレートの上面とほぼ同一面となるカバープレートとからなることを特徴とする床用目地装置。
【発明の詳細な説明】
【技術分野】
【０００１】
本発明は床用目地装置に関する。
【背景技術】
【０００２】
従来の床用目地装置は左右の床躯体の目地部側の床面に凹部を形成し、該凹部内に反目地部側が傾斜面となる一対の下地板を固定するとともに、この一対の下地板に両端部が支持され、上面がほぼ左右の床躯体の床面と同一面となる目地プレートと、この目地プレートの両端部にヒンジ部材を介して取付けられたカバープレートとで構成されている。
【０００３】
このため、カバープレートにトラック等が乗って大きな荷重が加わると、カバープレートが損傷するという欠点があり、この欠点を解消するために厚肉のカバープレートを用いると段差が生じるという欠点があった。
【特許文献１】特許第３４０２３０７号
【発明の開示】
【発明が解決しようとする課題】
【０００４】
本発明は以上のような従来の欠点に鑑み、左右の床躯体の床面、目地プレートの上面およびカバープレートの上面がほぼ同一面でバリアフリーにできるとともに、カバープレートに大きな荷重が加わっても損傷することなく、かつカバープレートが回動しても大きな隙間が生じることのない、安全に使用することができる床目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介した左右の床躯体の反目地部側にカバープレート支持凹部を有する傾斜面に形成された左右の凹部と、この左右の凹部を覆う前記左右の床躯体の床面と上面がほぼ同一面の浅皿状の金属材製の目地プレート本体、この目地プレート本体内に充填されたモルタルやコンクリートを介して固定されたタイルやレンガ等の床化粧材とからなる目地プレートと、この目地プレートの両端部に取付けられた上部寄りの部位より下部外方へ円弧状に突出する支持部を有する支持部材と、前記目地プレートの両端部の下部寄りの部位に前記支持部材挿入凹部が形成された支持脚となる後端部が枢支され、円弧状の先端部が前記カバープレート支持凹部に支持され、前記左右の床躯体の床面および前記目地プレートの上面とほぼ同一面となるカバープレートとで床用目地装置を構成している。
【発明の効果】
【０００７】
以上の説明から明らかなように、本発明にあっては次に列挙する効果が得られる。
【０００８】
（１）目地部を介した左右の床躯体の反目地部側にカバープレート支持凹部を有する傾斜面に形成された左右の凹部と、この左右の凹部を覆う前記左右の床躯体の床面と上面がほぼ同一面の浅皿状の金属材製の目地プレート本体、この目地プレート本体内に充填されたモルタルやコンクリートを介して固定されたタイルやレンガ等の床化粧材とからなる目地プレートと、この目地プレートの両端部に取付けられた上部寄りの部位より下部外方へ円弧状に突出する支持部を有する支持部材と、前記目地プレートの両端部の下部寄りの部位に前記支持部材挿入凹部が形成された支持脚となる後端部が枢支され、円弧状の先端部が前記カバープレート支持凹部に支持され、前記左右の床躯体の床面および前記目地プレートの上面とほぼ同一面となるカバープレートとで構成されているので、左右の床躯体の床面、目地プレートの上面およびカバープレートの上面がほぼ同一面となり、バリアフリー化を図ることができる。
したがって、安全に楽に走行使用することができる。
【０００９】
（２）前記（１）によって、カバープレートは目地プレートの下部位、カバープレート支持凹部および目地プレートの上部寄りの部位の支持部材で支持されるので、大きな荷重が加わっても損傷することなく、支持することができる。
したがって、安全に使用することができる。
【００１０】
（３）前記（１）によって、地震等で目地部が狭くなるように揺れ動いてカバープレートが回動した場合、カバープレートの先端部が円弧状に形成されているため、大きな段差になるのを防止することができるとともに、後端部の上部は目地プレートから離れるが、支持部材によって開口するのを防止することができ、安全に使用することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の床用目地装置で、この床用目地装置１は目地部２を介した左右の床躯体３、３の反目地部側にカバープレート支持凹部４、４を有する傾斜面５、５となるように下地板６、６で覆われた左右の凹部７、７と、この左右の凹部７、７を覆う上部に内側方向へ突出するフランジ８を有する浅皿状の金属材で形成された目地プレート本体９、この目地プレート本体９内にモルタルやコンクリート１０を介して固定されたタイルやレンガ等の床化粧材１１とからなる、前記左右の床躯体３、３の床面と上部がほぼ同一面となる目地プレート１２と、この目地プレート１２の両端部に複数本のビス１３等で固定された上部寄りの部位より下部外方へ円弧状に突出する支持部１４、１４を有する支持部材１５、１５と、前記目地プレート１２の両端部の下部寄りの部位に、前記支持部材１５、１５が挿入される支持部材挿入凹部１６、１６が形成された支持脚１７となる後端部が枢支ピン１８、１８で枢支金具１９、１９に枢支され、円弧状の先端部が前記カバープレート支持凹部４、４に支持され、前記左右の床躯体３、３の床面および前記目地プレート１２の上面とほぼ同一面となる、図３に示すような金属材製のカバープレート２０、２０と、前記目地プレート１２の中央部を前記目地部のほぼ中央部に常時位置させる、少なくとも２個以上の中央維持機構２１とで構成されている。
【００１４】
前記中央維持装置２１は図４に示すように、前記目地部側の左右の床躯体３、３に固定された取付け金具２２、２２に両端部が枢支ピン２３、２３で枢支された四角形状のリンク機構２４と、このリンク機構２４の一方の対向するリンク２４ａ、２４ａの中央部に両端部が枢支ピン２５、２５で枢支され、中央部に中央枢支部２６が形成された中央リンク２７と、この中央リンク２７の中央枢支部２６に上下移動可能に枢支される、前記目地プレート１２の中央部の底面に固定された中央枢支ピン２８とで構成されている。
【００１５】
上記構成の床用目地装置１は通常時には図１および図２に示すように、目地部２および左右の床躯体３、３に形成された左右の凹部７、７を目地プレート１２およびカバープレート２０、２０で上面がほぼ同一面となるように覆った状態となり、カバープレート２０、２０上にトラック等が乗って大きな荷重が加わっても、該カバープレート２０、２０は先端部がカバープレート支持凹部４に支持され、支持脚１７となる後端部が目地プレート１２の下部寄りの部位の枢支金具１９に枢支ピン１８で枢支されているため、十分な強度があり、損傷することがない。
【００１６】
地震等によって目地部２が狭くなるように揺れ動くと、図５に示すように目地プレート１２の中央部は目地部２の中央部に位置するように中央維持装置２１、２１で維持された状態で、目地プレート１２の両端部が傾斜面５、５に沿って上方へスライド移動するとともに、カバープレート２０、２０の先端部が左右の床躯体３、３の床面に当接した状態でスライド移動する。この時、カバープレート２０、２０が回動して後端部上部が目地プレート１２の両端部の上部と離れるが、下部に支持部材１５、１５の支持部１４、１４が位置しているので、大きな隙間が生じるのを阻止することができる。
【００１７】
目地部２が広くなるように揺れ動くと、図６に示すように目地プレート１２の中央部は目地部２の中央部に位置するように中央維持装置２１、２１で維持されるため、目地プレート１２の両端部に生ずる凹部２９、２９をカバープレート２０、２０が回動して覆う。この時のカバープレート２０、２０は目地プレート１２の両端部の下部寄りの部位で支持脚１７、１７となる後端部が枢支ピン１８、１８で枢支されているため、傾斜面５、５に沿ってスムーズにスライド移動させることができる。
[発明を実施するための異なる形態]
【００１８】
次に、図７ないし図１２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、他方の床躯体３に目地プレート支持凹部３０を形成し、該目地プレート支持凹部３０に開口するように設けられた複数個のガイド筒３１、３１に遊挿される目地プレート１２の後端部の底面に固定された支持ピン３２、３２を用いた点で、このように構成された床用目地装置１Ａにしても、前記本発明を実施するための最良の第１の形態と同様な作用効果が得られる。
【００２０】
図１０ないし図１２に示す本発明を実施するための第３の形態において、前記本発明を実施するための第２の形態と主に異なる点は、他方の床躯体３の目地部側の上端部に軽Ｚ形鋼形状の目地プレート支持金具３３を固定するとともに、この目地プレート支持金具３３の上部と目地プレート１２の後端部の上部とをヒンジ部材３４を回動可能に取付けた点で、このように構成した床用目地装置１Ｂにしても、前記本発明を実施するための第２の形態と同様な作用効果が得られる。
【００２１】
なお、前記本発明を実施する最良の第１の形態では四角形状のリンク機構２４を用いる中央維持装置２１、２１を用いるものについて説明したが、本発明はこれに限らず、パンタグラフ形状の中央維持装置や、一対のラックにピニオンを用いた中央維持装置、ほぼ４５度の傾斜状態で配置された中央部に中央枢支部を有する支持バーの両端部を、目地部側の左右の床躯体にほぼ水平に取付けられるガイドレールに沿ってスライド移動させる形式の中央維持装置を用いてもよい。
また、前記本発明を実施するための各形態では下地板６を用いたものについて説明したが、本発明はこれに限らず、床躯体に反目地部側が傾斜面に形成された凹部に直接目地プレートを支持させてもよい。
【産業上の利用可能性】
【００２２】
本発明は床用目地装置を製造する産業で利用される。
【図面の簡単な説明】
【００２３】
【図１】本発明を実施するための最良の第１の形態の平面図。
【図２】図１の２−２線に沿う拡大断面図。
【図３】本発明を実施するための最良の第１の形態のカバープレートの説明図。
【図４】本発明を実施するための最良の第１の形態の中央維持装置の説明図。
【図５】本発明を実施するための最良の第１の形態の目地部が狭くなった動作説明図。
【図６】本発明を実施するための最良の第１の形態の目地部が広くなった動作説明図。
【図７】本発明を実施するための第２の形態の平面図。
【図８】図７の８−８線に沿う拡大断面図。
【図９】本発明を実施するための第２の形態の目地部が狭くなった動作説明図。
【図１０】本発明素実施するための第３の形態の平面図。
【図１１】図１０の１１−１１線に沿う拡大断面図。
【図１２】本発明素実施するための第３の形態の目地部が狭くなった動作説明図。
【符号の説明】
【００２４】
１、１Ａ、１Ｂ：床用目地装置、２：目地部、
３：床躯体、                                                ４：カバープレート支持凹部、
５：傾斜面、                                                ６：下地板、
７：凹部、                                        ８：フランジ部、
９：目地プレート本体、                １０：モルタルやコンクリート、
１１：床化粧材、                            １２：目地プレート、
１３：ビス、                                                １４：支持部、
１５：支持部材、                            １６：支持部材挿入凹部、
１７：支持脚、                                １８：枢支ピン、
１９：枢支金具、                            ２０：カバープレート、
２１：中央維持機構、                    ２２：取付け金具、
２３：枢支ピン、                            ２４：リンク機構、
２５：枢支ピン、                            ２６：中央枢支部、
２７：中央リンク、                                    ２８：中央枢支ピン、
２９：凹部、                                                ３０：目地プレート支持凹部、
３１：ガイド筒、                            ３２：支持ピン、
３３：目地プレート支持金具、    ３４：ヒンジ部材。
【図１】
0004813974.tif 000002
【図２】
0004813974.tif 000003
【図３】
0004813974.tif 000004
【図４】
0004813974.tif 000005
【図５】
0004813974.tif 000006
【図６】
0004813974.tif 000007
【図７】
0004813974.tif 000008
【図８】
0004813974.tif 000009
【図９】
0004813974.tif 000010
【図１０】
0004813974.tif 000011
【図１１】
0004813974.tif 000012
【図１２】
0004813974.tif 000013